(57)【要約】【課題】組立・解体が容易で、人力による作業を可能とした屋根パネル、並びにこれに用いられる屋根パネル継ぎ目カバーおよび梁材を提供する。【解決手段】壁パネル１０の上端に梁材４０を載せ、梁材４０の空胴部４１の下面と壁接合部４３とにより壁パネル１０を呑み込ませてボルト接合する。梁材４０の空胴部４１を屋根パネル２０の梁材呑込部２３に収容し、空胴部４１の外側の側面と屋根接合部４２とにより屋根パネル２０を呑み込ませてボルト接合する。隣接する二枚の屋根パネル２０の連結部２２をボルト・ナット２２Ｂにより固定し、屋根パネル継ぎ目カバー３０の継ぎ目被覆部３１を被せると共に、折曲部３２で屋根小口を覆い、連結部２２の側面にボルト接合する。屋根パネル２０に損傷を与えることなく組立・解体が行われる。屋根パネル２０の小型化が可能で、人力での作業に好適である。【選択図】図６
2008255715.tif 000002
【特許請求の範囲】
【請求項１】
複数並べて屋根を構成するための屋根パネルであって、
矩形のパネル本体と、
前記パネル本体の上面の少なくとも一辺に設けられ、上向きに開いたコの字形の断面形状を有すると共に側面にボルト接合孔が設けられた連結部と、
前記パネル本体の側面の少なくとも一辺に設けられ、下向きに開いたコの字形の断面形状を有する梁材呑込部と
を備えたことを特徴とする屋根パネル。
【請求項２】
前記連結部は、他のパネル本体に隣接する辺に設けられ、
前記梁材呑込部は、前記連結部が設けられた辺以外の辺に設けられている
ことを特徴とする請求項１記載の屋根パネル。
【請求項３】
矩形のパネル本体と、前記パネル本体の上面の少なくとも一辺に設けられ、上向きに開いたコの字形の断面形状を有すると共に側面にボルト接合孔が設けられた連結部と、前記パネル本体の側面の少なくとも一辺に設けられ、下向きに開いたコの字形の断面形状を有する梁材呑込部とを備えた屋根パネルを複数並べて構成された屋根の、前記屋根パネルどうしの継ぎ目を覆う継ぎ目カバーであって、
コの字形の断面形状を有すると共に側面にボルト接合孔が設けられ、隣接する二枚の前記屋根パネルの連結部を収容可能な継ぎ目被覆部と、
前記継ぎ目被覆部の長手方向両端に、前記コの字形の開いた側に向けて折れ曲がった折曲部と
を備えたことを特徴とする屋根パネル継ぎ目カバー。
【請求項４】
板状部材を折り曲げて形成した梁材であって、
断面矩形の空胴部と、
前記空胴部の矩形の一角から延長され、互いに直交する面内に設けられた屋根接合部および壁接合部と、
前記空胴部の矩形の一角の隣の角から延長された軒樋と
を備えたことを特徴とする梁材。
【請求項５】
前記屋根接合部は、矩形のパネル本体と、前記パネル本体の上面の少なくとも一辺に設けられ、上向きに開いたコの字形の断面形状を有すると共に側面にボルト接合孔が設けられた連結部と、前記パネル本体の側面の少なくとも一辺に設けられ、下向きに開いたコの字形の断面形状を有する梁材呑込部とを備えた屋根パネルを複数並べて構成された屋根に接合されるものであり、
前記空胴部は前記屋根パネルの梁材呑込部に収容される
ことを特徴とする請求項４記載の梁材。
【発明の詳細な説明】
【技術分野】
【０００１】
本発明は、複数の屋根パネルを並べて屋根を構成するための屋根パネルおよび屋根パネル継ぎ目カバー、並びに梁材に係り、特に、組立・解体を繰返して使用可能な建物に好適な屋根パネルおよび屋根パネル継ぎ目カバー、並びに梁材に関する。
【背景技術】
【０００２】
通常の建物の屋根には、折板あるいは住宅用屋根葺きなどが用いられている。これらは、設備投資が大きく、また、取外しは考慮されていない。一方、工事現場の仮設事務所などには、いわゆるユニットハウス等の移動可能な建物が用いられている（例えば、特許文献１参照。）。この従来のユニットハウスは、例えば、床面パネル、正面壁パネル、背面壁パネル、一対の妻面壁パネルおよび小屋パネルの６枚構成となっており、これらを工場等で組立てて現場に運搬設置し、あるいは半完成状態または完成状態のパネルを現場で組立てるようにしている。
【特許文献１】特開２００４−１００３３３号公報
【発明の開示】
【発明が解決しようとする課題】
【０００３】
しかしながら、従来のユニットハウスの屋根は、梁および母屋の上に敷き詰める形で野地材および屋根板材を並べ、ねじ，リベットおよびシーリング材または接着材にて一体化しているので、組立・解体を繰返して使用することは難しいという問題があった。また、屋根は、一枚の大型平板パネル部品とされている場合があるが、重量が大きくなってしまうので、人力での運搬・組立・解体には不向きであり、吊上げのための機械が必要となっていた。
【０００４】
本発明はかかる問題点に鑑みてなされたもので、その目的は、組立・解体が容易で、機械・機器設備を使用しない人力による作業を行うことができる屋根パネル、並びにこれに用いられる屋根パネル継ぎ目カバーおよび梁材を提供することにある。
【課題を解決するための手段】
【０００５】
本発明による屋根パネルは、複数並べて屋根を構成するためのものであって、矩形のパネル本体と、パネル本体の上面の少なくとも一辺に設けられ、上向きに開いたコの字形の断面形状を有すると共に側面にボルト接合孔が設けられた連結部と、パネル本体の側面の少なくとも一辺に設けられ、下向きに開いたコの字形の断面形状を有する梁材呑込部とを備えたものである。
【０００６】
本発明の屋根パネルでは、上向きコの字形の連結部の側面で、屋根パネルどうしがボルト接合により連結される。よって、組立・解体の際に屋根パネルに損傷を与えることなくなり、繰返し使用が可能となる。また、下向きコの字形の梁材呑込部に、梁材が収容される。よって、屋根パネルの位置決めが容易となり、屋根の組立てやすさが向上する。更に、屋根パネルを小型化することができ、人力での作業を可能とすることができる。
【０００７】
連結部は、他のパネル本体に隣接する辺に設け、梁材呑込部は、連結部が設けられた辺以外の辺に設けることができる。例えば、両隣に他の屋根パネルを並べる場合には、連結部を二本の長辺に、梁材呑込部を二本の短辺にそれぞれ設ければよい。また、屋根の両端に配置する場合には、連結部を一本の長辺に設け、梁材呑込部を残りの三辺（他の長辺および二本の短辺）に設ければよい。
【０００８】
本発明の屋根パネル継ぎ目カバーは、上記本発明の屋根パネルを複数並べて構成された屋根の、屋根パネルどうしの継ぎ目を覆うものであって、コの字形の断面形状を有すると共に側面にボルト接合孔が設けられ、隣接する二枚の屋根パネルの連結部を収容可能な継ぎ目被覆部と、継ぎ目被覆部の長手方向両端に、コの字形の開いた側に向けて折れ曲がった折曲部とを備えたものである。
【０００９】
本発明の屋根パネル継ぎ目カバーでは、継ぎ目被覆部が、隣接する二枚の屋根パネルの連結部に被せられ、屋根パネルどうしの継ぎ目からの浸水が抑制される。また、継ぎ目被覆部は、連結部の側面にボルト接合により取り付けられるので、組立・解体の際に屋根パネルに損傷を与えることがなくなり、繰返し使用が可能となる。更に、継ぎ目被覆部の長手方向両端には、コの字形の開いた側に向けて折れ曲がった折曲部が設けられており、この折曲部は、屋根小口の雨仕舞としての機能を有する。
【００１０】
本発明の梁材は、板状部材を折り曲げて形成したものであって、断面矩形の空胴部と、空胴部の矩形の一角から延長され、互いに直交する面内に設けられた屋根接合部および壁接合部と、空胴部の矩形の一角の隣の角から延長された軒樋とを備えたものである。
【００１１】
本発明の梁材では、断面矩形の空胴部により強度が確保されており、屋根の重量を支えることはもちろん、組立・解体などのために屋根に人間が乗ってもその重量を支えることが可能となる。空胴部の側面と屋根接合部とにより屋根の呑込部が構成され、屋根接合部が屋根に接合される。また、空胴部の下面と壁接合部とにより壁の呑込部が構成され、壁接合部が壁に接合される。雨などは軒樋により受けられるが、軒樋と屋内との間に空胴部が設けられており、雨などが空胴部を乗り越えて屋内に入り込む可能性は小さくなる。よって、外部からの浸水が抑制される。
【００１２】
屋根接合部は、上記本発明の屋根パネルを複数並べて構成された屋根に接合されるものであり、空胴部はこの屋根パネルの梁材呑込部に収容されることが好ましい。屋根パネルの位置決めが容易となり、屋根の組立てやすさが向上するからである。
【発明の効果】
【００１３】
本発明の屋根パネルによれば、パネル本体の上面に、上向きに開いたコの字形の断面形状を有すると共に側面にボルト接合孔が設けられた連結部を設けるようにしたので、連結部の側面で屋根パネルどうしをボルト接合により連結することができる。よって、屋根パネルに損傷を与えることなく組立・解体することができ、繰返し使用が可能となる。また、パネル本体の側面に、下向きに開いたコの字形の断面形状を有する梁材呑込部を設けるようにしたので、この梁材呑込部に梁材を収容することができる。よって、屋根パネルの位置決めが容易となり、屋根の組立てやすさが向上する。更に、屋根パネルを小型化することができ、人力での作業を可能とすることができる。
【００１４】
本発明の屋根パネル継ぎ目カバーによれば、継ぎ目被覆部の断面形状をコの字形とするようにしたので、この継ぎ目被覆部に、隣接する二枚の屋根パネルの連結部を収容し、屋根パネルどうしの継ぎ目からの浸水を抑制することができる。また、継ぎ目被覆部の側面にボルト接合孔を設けるようにしたので、継ぎ目被覆部を、連結部の側面にボルト接合により取り付けることができる。よって、屋根パネルに損傷を与えることなく組立・解体を行うことができ、繰返し使用を可能とすることができる。更に、継ぎ目被覆部の長手方向両端に、コの字形の開いた側に向けて折れ曲がった折曲部を設けるようにしたので、この折曲部に、屋根小口の雨仕舞としての機能を持たせることができる。
【００１５】
本発明の梁材によれば、断面矩形の空胴部を有するようにしたので、強度を確保することができる。また、この空胴部に、屋根接合部および壁接合部と、軒樋とを一体化するようにしたので、梁材に多種の役割を兼ねさせ、組立手順を簡素化すると共に、部品点数を削減することができる。特に、屋根接合部を、上記本発明の屋根パネルを複数並べて構成された屋根に接合し、空胴部をこの屋根パネルの梁材呑込部に収容するようにすれば、屋根パネルの位置決めを容易にし、屋根の組立てやすさを向上させることができる。
【発明を実施するための最良の形態】
【００１６】
以下、本発明の実施の形態について図面を参照して詳細に説明する。
【００１７】
図１は、本発明の一実施の形態に係る建物の外観の一例を概略的に表したものである。この建物は、例えば、ユニットハウスなどの移動可能な建物であり、図示しない基礎および床の上に、壁１および屋根２を有している。壁１および屋根２は、それぞれ複数のパネルを並べて構成したものである。なお、壁１は、複数の壁パネル１０を並べて構成されており、平板状のものと、出入口や窓などの建具または洗面台やカウンターなどの設備が予め造り付けられたものとが必要に応じて組み合わせられている。また、壁１の四隅に配置される壁パネル１０は、Ｌ字形のコーナーパネルとされている。
【００１８】
屋根２は、複数の屋根パネル２０を並べて構成したものである。図２は、屋根２の端部に配置される屋根パネル２０Ａ、および端部以外の中間部に配置される屋根パネル２０Ｂを屋根面（上面）から見た構成、図３は、天井面（下面）から見た構成をそれぞれ表したものである。屋根パネル２０Ａ，２０Ｂは、矩形のパネル本体２１を有している。パネル本体２１は、例えば、鋼板および鋼板面材を両面に配し、その中身に硬質ウレタン樹脂を充填してサンドイッチ複合材としたものにより構成されている。このパネル本体２１の上面には、例えば鋼板を折り曲げて形成され、上向きに開いたコの字形の断面形状を有する連結部２２が設けられている。この連結部２２の側面には、ボルト接合孔２２Ａが設けられており、連結部２２の側面で屋根パネル２０Ａ，２０Ｂどうしがボルト接合により連結可能とされている。パネル本体２１の下面には、例えば、芯材として保持できる厚みの鋼板を折り曲げて形成され、下向きに開いたコの字形の断面形状を有する梁材呑込部２３が設けられている。これにより、この屋根パネル２０Ａ，２０Ｂでは、損傷を与えることなく容易に組立・解体することができると共に、人力での作業が可能となっている。
【００１９】
連結部２２は、他のパネル本体２１に隣接する辺に設け、梁材呑込部２３は、連結部２２が設けられた辺以外の辺に設けることができる。例えば、屋根２の中間部に配置される屋根パネル２０Ｂの場合には、両隣に他の屋根パネル２０Ａ，２０Ｂを並べるため、連結部２２は二本の長辺に、梁材呑込部２３は二本の短辺にそれぞれ設けられている。また、屋根２の端部に配置される屋根パネル２０Ａの場合、連結部２２は一本の長辺に、梁材呑込部２３は残りの三辺（他の長辺および二本の短辺）にそれぞれ設けられている。
【００２０】
次に、図４ないし図１０を参照して、このような屋根パネル２０Ａ，２０Ｂどうしの継ぎ目に設けられる屋根パネル継ぎ目カバー、および屋根パネル２０Ａ，２０Ｂと壁１との間に設けられる梁材について説明する。図４に示したように、屋根パネル２０Ｂどうしの継ぎ目は、屋根パネル継ぎ目カバー３０で覆われている。また、屋根パネル２０Ｂと壁１との間には、梁材４０が設けられている。なお、図４では屋根パネル２０Ｂを３枚並べた場合を表しているが、屋根パネル２０Ａ，２０Ｂを組合せた場合も同様である。
【００２１】
図５は、屋根パネル継ぎ目カバー３０を屋根パネル２０Ｂ，２０Ｂの継ぎ目に取り付けた状態を説明するためのものである。屋根パネル継ぎ目カバー３０は、コの字形の断面形状を有する継ぎ目被覆部３１を有している。この継ぎ目被覆部３１は、屋根パネル２０Ｂどうしの継ぎ目からの浸水を抑制するためのものであり、隣接する二枚の屋根パネル２０Ｂの連結部２２に被せられている。また、継ぎ目被覆部３１は、側面に設けられたボルト接合孔３１Ａを用いて、ボルト３１Ｂにより連結部２２の側面に取り付けられており、組立・解体の際に屋根パネル２０Ｂに損傷を与えることなく繰返し使用が可能となっている。なお、隣接する二枚の屋根パネル２０Ｂの連結部２２は、ボルト・ナット２２Ｂにより固定され、更に、予備防水措置として貼り剥がし可能な粘着テープ（例えば、全天テープ（商品名））５０が貼り付けられていてもよい。
【００２２】
図６は、図４の点線Ａで囲まれた部分、図７は、図４の点線Ｂで囲まれた部分をそれぞれ拡大して表したものである。継ぎ目被覆部３１の長手方向両端には、コの字形の開いた側に向けて折れ曲がった折曲部３２が設けられている。この折曲部３２は、屋根小口の雨仕舞としての機能を有するものである。
【００２３】
図４，図６および図７に示した梁材４０は、板状部材を折り曲げて形成したものであり、断面矩形の空胴部４１を有している。これにより、この梁材４０では、優れた強度を発揮することができ、屋根２の重量を支えることはもちろん、組立・解体などのために屋根２に人間が乗ってもその重量を支えることが可能となっている。
【００２４】
空胴部４１の矩形の一角には、互いに直交する面内に屋根接合部４２および壁接合部４３が延長され、その隣の角からは、軒樋４４が延長されている。これにより、この梁材４０では、空胴部４１に、屋根接合部４２および壁接合部４３と、軒樋４４とを一体化し、屋根２および壁１などの各部材の固定金具としての機能に加えて、雨樋および雨仕舞役物など多種の役割を兼ねさせ、組立手順を簡素化すると共に、部品点数を削減することができるようになっている。
【００２５】
空胴部４１の側面と屋根接合部４２とにより屋根２の呑込部が構成されている。屋根接合部４２には、ボルト接合孔４２Ａが設けられており、ボルト４２Ｂにより屋根２に接合されている。また、空胴部４１の下面と壁接合部４３とにより壁１の呑込部が構成されている。壁接合部４３には、ボルト接合孔４３Ａが設けられており、ボルト４３Ｂにより壁１に接合されている。
【００２６】
空胴部４１は上述した屋根パネル２０の梁材呑込部２３に収容されることが好ましい。屋根パネル２０の位置決めが容易となり、屋根２の組立てやすさが向上するからである。
【００２７】
このような梁材４０は、例えば、一枚の板状部材を折り曲げて壁接合部４３，空胴部４１の下面および軒樋４４を形成し、もう一枚の板状部材を折り曲げて屋根接合部４２および空胴部４１の両側面および上面を形成し、この二枚の板状部材を空胴部４１の下面および壁接合部４３で溶接接合することにより形成することができる。
【００２８】
この建物は、例えば、次のようにして組立てることができる。
【００２９】
まず、建物の設置場所の地面に基礎（図示せず）を形成し、この基礎の上に床枠（図示せず）を配設したのち、この床枠に複数の床パネル（図示せず）を敷き詰めて床を形成する。次いで、床枠に上述したような複数の壁パネル１０の下端を取り付け、壁１を形成する。
【００３０】
続いて、図８に示したように、壁１の上端に梁材４０を載せ、空胴部４１の下面と壁接合部４３とにより壁１の壁パネル１０を呑み込ませて、壁接合部４３に設けられたボルト接合孔４３Ａを用いてボルト４３Ｂにより壁１に接合する。
【００３１】
そののち、同じく図８に示したように、空胴部４１を屋根パネル２０の梁材呑込部２３に収容する。これにより、屋根パネル２０を容易に位置決めすることができ、屋根２の組み立てやすさを高めることができる。また、空胴部４１の外側の側面と屋根接合部４２とにより屋根２を呑み込ませ、屋根接合部４２に設けられたボルト接合孔４２Ａを用いて、ボルト４２Ｂにより屋根２に接合する。
【００３２】
梁材４０を用いて壁１および屋根２を接合したのち、隣接する二枚の屋根パネル２０の連結部２２をボルト・ナット２２Ｂにより固定し、必要に応じて粘着テープ５０（図８には図示せず、図５参照。）を貼る。続いて、隣接する二枚の屋根パネル２０の連結部２２に、屋根パネル継ぎ目カバー３０の継ぎ目被覆部３１を被せると共に、折曲部３２で屋根小口を覆い、側面のボルト接合孔３１Ａを用いて、ボルト３１Ｂにより連結部２２の側面に取り付ける。これにより、屋根パネル２０に損傷を与えることなく組立が行われる。以上により、図９に示したように壁１，梁材４０，屋根２および屋根パネル継ぎ目カバー３０が接合され、図１に示した建物が完成する。
【００３３】
また、建物は、例えば、次のようにして解体することができる。
【００３４】
まず、屋根パネル継ぎ目カバー３０のボルト３１Ｂを外して除去する。次いで、連結部２２のボルト・ナット２２Ｂを外し、屋根パネル２０どうしの連結を解除する。続いて、ボルト４２Ｂを外し、各屋根パネル２０を除去する。そののち、ボルト４３Ｂを外し、梁材４０を壁１の上端から取り外す。梁材４０を取外したのち、壁パネル１０を取り外して壁１を解体する。壁１を解体した後、床パネル（図示せず）を床枠から取り外して床を解体する。最後に、床枠および基礎を解体する。
【００３５】
解体された建物は、上述した組立方法によって再び組立てることができる。ここでは、屋根パネル２０が組立・解体の際に損傷を受けることがないので、不用になった建物を解体して別の場所において組立てて再利用することが可能となり、資源の浪費が防止され、一時的な使用目的にも対応できる。
【００３６】
この建物では、屋根パネル２０の連結部２２に屋根パネル継ぎ目カバー３０の継ぎ目被覆部３１が被せられ、屋根小口は折曲部３２で隠されているので、屋根パネル２０どうしの継ぎ目や屋根小口からの浸水が抑制される。万一、ボルト３１Ｂのボルト接合孔３１Ａなどから屋根パネル継ぎ目カバー３０の内側に浸水しても、雨水Ｒは連結部２２の底面を伝って軒樋４４に排水される。また、軒樋４４と屋内との間には、空胴部４１が設けられているので、軒樋４４に直接または連結部２２を伝って受けられた雨水Ｒが、空胴部４１を乗り越えて屋内に入り込む可能性は小さくなる。よって、外部からの浸水が確実に抑制される。
【００３７】
このように本実施の形態の屋根パネル２０では、パネル本体２１の上面に、上向きに開いたコの字形の断面形状を有すると共に側面にボルト接合孔２２Ａが設けられた連結部２２を設けるようにしたので、連結部２２の側面で屋根パネル２０どうしをボルト接合により連結することができる。よって、屋根パネル２０に損傷を与えることなく組立・解体することができ、繰返し使用が可能となる。また、パネル本体２１の側面に、下向きに開いたコの字形の断面形状を有する梁材呑込部２３を設けるようにしたので、この梁材呑込部２３に梁材４０を収容することができる。よって、屋根パネル２０の位置決めが容易となり、屋根２の組立てやすさが向上する。更に、屋根パネル２０を小型化することができ、人力での作業を可能とすることができる。
【００３８】
また、本実施の形態の屋根パネル継ぎ目カバー３０では、継ぎ目被覆部３１の断面形状をコの字形とするようにしたので、この継ぎ目被覆部３１に、隣接する二枚の屋根パネル２０の連結部２２を収容し、屋根パネル２０どうしの継ぎ目からの浸水を抑制することができる。また、継ぎ目被覆部３１の側面にボルト接合孔３１Ａを設けるようにしたので、継ぎ目被覆部３１を、連結部２２の側面にボルト接合により取り付けることができる。よって、屋根パネル２０に損傷を与えることなく組立・解体を行うことができ、繰返し使用を可能とすることができる。更に、継ぎ目被覆部３１の長手方向両端に、コの字形の開いた側に向けて折れ曲がった折曲部３２を設けるようにしたので、この折曲部３２に、屋根小口の雨仕舞としての機能を持たせることができる。
【００３９】
本実施の形態の梁材４０によれば、断面矩形の空胴部４１を有するようにしたので、強度を確保することができる。また、この空胴部４１に、屋根接合部４２および壁接合部４３と、軒樋４４とを一体化するようにしたので、梁材４０に多種の役割を兼ねさせ、組立手順を簡素化すると共に、部品点数を削減することができる。
【００４０】
特に、屋根接合部４２を、屋根パネル２０を複数並べて構成された屋根２に接合し、空胴部４１をこの屋根パネル２０の梁材呑込部２３に収容するようにすれば、屋根パネル２０の位置決めを容易にし、屋根２の組立てやすさを向上させることができる。
【００４１】
以上、実施の形態を挙げて本発明を説明したが、本発明は上記実施の形態に限定されるものではなく、種々変形が可能である。
【００４２】
本発明の建物は、例えば、仮設事務所のほか、倉庫、売店、イベント会場などに適用可能である。
【図面の簡単な説明】
【００４３】
【図１】本発明の一実施の形態に係る建物の外観の一例を概略的に表す斜視図である。
【図２】図１に示した屋根パネルを屋根面から見た構成を表す斜視図である。
【図３】図１に示した屋根パネルを天井面から見た構成を表す斜視図である。
【図４】図１に示した屋根と壁との接合状態をを表す分解斜視図である。
【図５】図４に示した屋根パネル継ぎ目カバーの取り付けを説明するための断面図である。
【図６】図４の点線Ａで囲まれた部分の拡大分解斜視図である。
【図７】図４の点線Ｂで囲まれた部分の拡大分解斜視図である。
【図８】図１に示した建物の組立方法を説明するための断面図である。
【図９】図８の組立が完成した状態を表す断面図である。
【図１０】雨水の流路を説明するための断面図である。
【符号の説明】
【００４４】
１…壁、２…屋根、１０…壁パネル、２０，２０Ａ，２０Ｂ…屋根パネル、２１…パネル本体、２２…連結部、２３…梁材呑込部、３０…屋根パネル継ぎ目カバー、３１…継ぎ目被覆部、３２…折曲部、４０…梁材、４１…空胴部、４２…屋根接合部、４３…壁接合部、４４…軒樋
【図１】
2008255715.tif 000003
【図２】
2008255715.tif 000004
【図３】
2008255715.tif 000005
【図４】
2008255715.tif 000006
【図５】
2008255715.tif 000007
【図６】
2008255715.tif 000008
【図７】
2008255715.tif 000009
【図８】
2008255715.tif 000010
【図９】
2008255715.tif 000011
【図１０】
2008255715.tif 000012